(57)【要約】【課題】  コンパクトな構造で、工具装着部材と工具側部材との締結のためのナット部材の緩みを有効に規制する。【解決手段】  工具側部材２０と工具装着部材１１のいずれか一方にナット部材３１が取付けられて他方と螺合することにより、両部材２０，１１の締結が行われる。ナット部材３１には貫通孔３１ａが設けられてその中に係合球３２が径方向に移動可能に装填され、かつその外側に装着された弾性部材３４によって径方向内側に付勢されている。その付勢力によって前記係合球３２が工具装着部材１１（または工具側部材２０）の凹部１１ｅと係合することにより、ナット部材３１の回転による前記螺合の緩みが規制される。【選択図】      図２
2005007563.tif 000002
【特許請求の範囲】
【請求項１】
工具側部材と工具装着部材とを嵌合状態で着脱可能に連結するための工具連結構造において、前記工具側部材、工具装着部材のいずれか一方に、内周面に雌ねじをもつ筒状部分をもつナット部材が回転可能でかつ軸方向の移動が規制された状態で取付けられ、他方に、前記工具側部材と工具装着部材とが嵌合した状態で前記ナット部材の雌ねじと螺合可能な雄ねじが設けられるとともに、前記工具側部材、工具装着部材のうち前記ナット部材が取付けられる部材の外周面には、周方向に並ぶ複数の凹凸が形成され、前記ナット部材の筒状部分には、当該筒状部分を径方向に貫通する貫通孔と、この貫通孔内に当該貫通孔から突出して前記凹凸の凹部に嵌まり込む係合位置と当該係合位置から径方向外側に待避して前記凹凸の凸部を乗り越え可能な待避位置との間で移動可能となるように保持される係合部材と、前記筒状部分の外周面に沿うようにして前記貫通孔の外側の位置に取付けられ、かつ、拡径方向に弾性変形可能な弾性部材とが設けられ、この弾性部材の弾発力によって前記貫通孔内の係合部材が前記係合位置側に付勢されて当該係合部材と前記凹部のうちのいずれかとの係合が保持されることを特徴とする工具連結構造。
【請求項２】
請求項１記載の工具連結構造において、前記貫通孔内に、前記係合部材と前記弾性部材との間に介在して当該弾性部材の弾発力を前記係合部材に伝達する中間部材が格納されていることを特徴とする工具連結構造。
【請求項３】
請求項１記載の工具連結構造において、前記弾性部材は、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を係合位置側に押圧するように構成されていることを特徴とする工具連結構造。
【請求項４】
請求項１記載の工具連結構造において、前記弾性部材は、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を構成していることを特徴とする工具連結構造。
【請求項５】
請求項１〜４のいずれかに記載の工具連結構造において、前記ナット部材の筒状部分の外周面に前記貫通孔とつながる周方向の凹溝が形成され、この凹溝内に前記弾性部材が嵌着されていることを特徴とする工具連結構造。
【請求項６】
工具側部材が着脱可能に装着される工具装着部材において、前記工具側部材と嵌合する形状を有する装着部材本体と、この装着部材本体に嵌合される工具側部材に設けられた雄ねじに螺合可能な雌ねじを内周面にもつ筒状部分を含み、前記装着部材本体に相対回転可能でかつ軸方向の移動が規制された状態で取付けられるナット部材とを備え、前記装着部材本体の外周面には、周方向に並ぶ多数の凹凸が形成され、前記ナット部材の筒状部分には当該筒状部分を径方向に貫通する貫通孔が設けられ、前記ナット部材の筒状部分には、当該筒状部分を径方向に貫通する貫通孔と、この貫通孔内に当該貫通孔から突出して前記凹凸の凹部に嵌まり込む係合位置と当該係合位置から径方向外側に待避して前記凹凸の凸部を乗り越え可能な待避位置との間で移動可能となるように保持される係合部材と、前記筒状部分の外周面に沿うようにして前記貫通孔の外側の位置に取付けられ、かつ、拡径方向に弾性変形可能な弾性部材とが設けられ、この弾性部材の弾発力によって前記貫通孔内の係合部材が前記係合位置側に付勢されて当該係合部材と前記凹部のうちのいずれかとの係合が保持されることを特徴とする工具装着部材。
【請求項７】
請求項６記載の工具装着部材において、前記貫通孔内に、前記係合部材と前記弾性部材との間に介在して当該弾性部材の弾発力を前記係合部材に伝達する中間部材が格納されていることを特徴とする工具装着部材。
【請求項８】
請求項６記載の工具装着部材において、前記弾性部材は、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を係合位置側に押圧するように構成されていることを特徴とする工具装着部材。
【請求項９】
請求項６記載の工具装着部材において、前記弾性部材は、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を構成していることを特徴とする工具装着部材。
【請求項１０】
請求項６〜９のいずれかに記載の工具装着部材において、前記ナット部材の筒状部分の外周面に前記貫通孔とつながる周方向の凹溝が形成され、この凹溝内に前記弾性部材が嵌着されていることを特徴とする工具装着部材。
【発明の詳細な説明】
【技術分野】
【０００１】
本発明は、ナット部材を用いて工具側部材と工具装着部材とを着脱可能に連結するための工具連結構造、及び、前記工具側部材が着脱可能に装着される工具装着部材に関するものである。
【背景技術】
【０００２】
従来、ねじ構造によって工具装着部材に工具側部材を着脱可能に連結するものとして、例えば特許文献１に記載されたものが知られている。
【０００３】
この構造は、工具装着部材（特許文献１ではシャンク）に回転可能に袋ナットが取付けられる一方、円筒状工具本体の基部の外周面に雄ねじが形成され、この雄ねじと前記袋ナットの雌ねじとを螺合することにより前記工具装着部材と円筒状工具本体とを着脱可能に締結できるようにしたものである。
【特許文献１】特開平６−３１２３０９号公報（第２頁，図２）
【発明の開示】
【発明が解決しようとする課題】
【０００４】
前記袋ナットを用いて工具装着部材と工具本体とを締結する構造では、施工時に発生する振動等に起因して当該袋ナットと工具本体側の雄ねじとの螺合が緩むおそれがあるため、当該ナットの緩みをいかに有効に規制するかが重要な課題となる。
【０００５】
このようなナットの緩みを規制する手段としては、例えば図９に示すような係合構造を導入することが考えられる。この構造は、前記シャンク９０の外周部に有底孔９０ａを設けてその中に圧縮コイルばね９５及び鋼球９６を装填しておき、前記シャンク９０に工具本体９２が嵌められ、かつ、その工具本体９２の雄ねじ９２ａとシャンク９０側のナット９４の雌ねじ９４ａとの螺合が完了した状態（図示の締め付け状態）で、前記鋼球９６が前記圧縮コイルばね９５の弾発力でナット９４側の凹溝９４ｂに係合することにより、当該シャンク９０に対するナット９４の相対回転による前記螺合の緩みを規制するものである。
【０００６】
しかしながら、この構造では、前記有底孔９０ａの内径が鋼球９６の直径と略同等の径に制限され、また、当該有底孔９０ａの深さ寸法にも限界があるため、必然的に、当該有底孔９０ａ内に装填される圧縮コイルばね９５には細径でかつ短い小型のばねしか用いることができない。よって、当該圧縮コイルばね９５の弾発力によってナット９４の緩みを有効に規制するのは難しい。
【０００７】
本発明は、このような事情に鑑み、コンパクトな構造で、工具装着部材と工具側部材との締結のためのナット部材の緩みを有効に規制できるようにすることを目的とする。
【課題を解決するための手段】
【０００８】
前記課題を解決するための手段として、本発明は、工具側部材と工具装着部材とを嵌合状態で着脱可能に連結するための工具連結構造において、前記工具側部材、工具装着部材のいずれか一方に、内周面に雌ねじをもつ筒状部分をもつナット部材が回転可能でかつ軸方向の移動が規制された状態で取付けられ、他方に、前記工具側部材と工具装着部材とが嵌合した状態で前記ナット部材の雌ねじと螺合可能な雄ねじが設けられるとともに、前記工具側部材、工具装着部材のうち前記ナット部材が取付けられる部材の外周面には、周方向に並ぶ複数の凹凸が形成され、前記ナット部材の筒状部分には、当該筒状部分を径方向に貫通する貫通孔と、この貫通孔内に当該貫通孔から突出して前記凹凸の凹部に嵌まり込む係合位置と当該係合位置から径方向外側に待避して前記凹凸の凸部を乗り越え可能な待避位置との間で移動可能となるように保持される係合部材と、前記筒状部分の外周面に沿うようにして前記貫通孔の外側の位置に取付けられ、かつ、拡径方向に弾性変形可能な弾性部材とが設けられ、この弾性部材の弾発力によって前記貫通孔内の係合部材が前記係合位置側に付勢されて当該係合部材と前記凹部のうちのいずれかとの係合が保持されるものである。
【０００９】
この構造によれば、前記工具側部材と工具装着部材とを嵌合しつつ、その一方に取付けられたナット部材の雌ねじが他方に設けられた雄ねじと螺合することにより、工具側部材と工具装着部材とを締結することができる。
【００１０】
このとき、前記工具装着部材または工具側部材に取付けられたナット部材における係合部材は弾性部材の弾発力によって係合位置（すなわち当該工具装着部材または工具側部材に設けられている凹部に係合する位置）側に付勢されているが、前記弾性部材の弾性変形を伴って適宜前記係合位置から待避位置へ待避するため、当該係合部材の移動を伴いながら当該工具装着部材または工具側部材に対してナット部材を相対回転させることが可能であり、この相対回転によって前記ナット部材と雄ねじとの螺合を進行させることができる。
【００１１】
そして、当該螺合が完了した状態では、前記係合部材がいずれかの凹部に係合するとともに、その係合位置に前記弾性部材の弾発力によって保持されるため、当該係合保持によって、施工時の振動等によりナット部材が工具装着部材または工具側部材に対して相対回転して前記螺合が緩むことが有効に規制される。
【００１２】
しかも、前記弾性部材は、例えば前記図９に示したような圧縮コイルばね９５と異なり、工具装着部材または工具側部材の外周面を取り巻くように取付けられて前記係合部材を外側から拘束、付勢するものであるため、特に構造全体を大型化することなく、コンパクトな構造で、前記係合部材と凹部との係合状態を十分な力で保持することが可能であり、これによって有効な緩み規制効果を確保することができる。
【００１３】
ここで、前記係合部材と弾性部材とは直接接触させてもよいが、前記貫通孔の寸法に応じて適宜中間部材を導入すればよい。すなわち、前記貫通孔内に、前記係合部材と前記弾性部材との間に介在して当該弾性部材の弾発力を前記係合部材に伝達する中間部材を格納することにより、貫通孔の寸法にかかわらず前記弾性部材の弾発力を前記係合部材に有効に伝達することができる。
【００１４】
あるいは、前記弾性部材として、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を係合位置側に押圧するように構成されているものを用いても効果的である。この構成によれば、弾性部材の周方向部分から径方向内側に突出する径方向部分を貫通孔内に侵入させることにより、当該径方向部分を確実に係合部材に接触させて当該係合部材を係合位置側（径方向内側）に付勢することができる。
【００１５】
あるいは、前記弾性部材として、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を構成しているものを用いれば、当該弾性部材と係合部材との一体化によって部品点数の削減及び構造の簡素化をさらに進めることができる。
【００１６】
前記ナット部材の筒状部分の外周面に前記弾性部材を取付ける構造としては、例えば、当該外周面に前記貫通孔とつながる周方向の凹溝が形成され、この凹溝内に前記弾性部材が嵌着されている構造が好適である。この構造によれば、前記弾性部材を前記凹溝内に嵌め込むことにより、当該弾性部材の縮径力を利用して当該弾性部材を安定した状態で前記ナット部材の外周面に取付けることが可能である。
【００１７】
また本発明は、工具側部材が着脱可能に装着される工具装着部材において、前記工具側部材と嵌合する形状を有する装着部材本体と、この装着部材本体に嵌合される工具側部材に設けられた雄ねじに螺合可能な雌ねじを内周面にもつ筒状部分を含み、前記装着部材本体に相対回転可能でかつ軸方向の移動が規制された状態で取付けられるナット部材とを備え、前記装着部材本体の外周面には、周方向に並ぶ多数の凹凸が形成され、前記ナット部材の筒状部分には当該筒状部分を径方向に貫通する貫通孔が設けられ、前記ナット部材の筒状部分には、当該筒状部分を径方向に貫通する貫通孔と、この貫通孔内に当該貫通孔から突出して前記凹凸の凹部に嵌まり込む係合位置と当該係合位置から径方向外側に待避して前記凹凸の凸部を乗り越え可能な待避位置との間で移動可能となるように保持される係合部材と、前記筒状部分の外周面に沿うようにして前記貫通孔の外側の位置に取付けられ、かつ、拡径方向に弾性変形可能な弾性部材とが設けられ、この弾性部材の弾発力によって前記貫通孔内の係合部材が前記係合位置側に付勢されて当該係合部材と前記凹部のうちのいずれかとの係合が保持されるものである。
【００１８】
この工具装着部材においても、前記貫通孔内に、前記係合部材と前記弾性部材との間に介在して当該弾性部材の弾発力を前記係合部材に伝達する中間部材を適宜格納するようにしてもよい。あるいは、前記弾性部材として、前記筒状部分の外周面に沿うようにして前記貫通孔の外側の位置に取付けられる周方向部分と、この周方向部分から径方向内側に突出して前記貫通孔内に挿入される径方向部分とを有し、この径方向部分が前記係合部材を係合位置側に押圧するように構成されているものや、当該周方向部分と径方向部分とを有し、この径方向部分が前記係合部材を構成しているものを用いることが可能である。
【００１９】
また、前記ナット部材の筒状部分の外周面に前記貫通孔とつながる周方向の凹溝が形成され、この凹溝内に前記弾性部材が嵌着されている構造とすることにより、前記弾性部材を安定した状態で取付けることができる。
【発明の効果】
【００２０】
以上のように、本発明によれば、コンパクトな構造で、工具装着部材と工具側部材との締結のためのナット部材の緩みを有効に規制することができる効果がある。
【発明を実施するための最良の形態】
【００２１】
本発明の好ましい実施の形態を図面に基づいて説明する。
【００２２】
図１〜図４は、円筒状刃物２４及び芯合せ用ドリルビット２６を具備する穴開け工具の工具側部材である刃物保持部材２０を工具装着部材１１に着脱可能に連結する構造を示したものである。
【００２３】
図１に示すように、前記工具装着部材１０は、略円柱状の装着部材本体１１と、この装着部材本体１１に着脱可能に連結されるシャンク１２とを備え、このシャンク１２が回転駆動源である図略の電動工具本体に着脱可能に連結されるようになっている。
【００２４】
図２及び図３に示すように、装着部材本体１１の中心部には軸方向に延びるドリルビット挿入孔１１ａが設けられ、このドリルビット挿入孔１１ａ内に前記ドリルビット２６の基部が挿入された状態で、前記装着部材本体１１に設けられた径方向のねじ孔１１ｂに止めねじ１４がねじ込まれることにより、前記装着部材本体１１にドリルビット２６が固定されるようになっている。
【００２５】
また、装着部材本体１１の軸方向中間部には、他の部分よりも外径の大きい鍔部１１ｃが形成されている。
【００２６】
刃物保持部材２０は、前記ドリルビット２６が挿通可能な挿通孔２０ａを中央に有する筒状をなし、かつ、その後端（図２では上端）が前記装着部材本体１１の鍔部１１ｃに付き当たるまで当該装着部材本体１１の先端部に外嵌可能な形状を有している。
【００２７】
さらに、刃物保持部材２０の内周面の適所には鋼球２２が埋め込まれてその一部が刃物保持部材２０の内周面から内方に突出する一方、装着部材本体１１の先端部外周面が一部切欠かれて平坦面１１ｄが形成されており、当該平坦面１１ｄに前記鋼球２２が当たるように装着部材本体１１と刃物保持部材２０とが嵌合されることにより、装着部材本体１１に対する刃物保持部材２０の相対回転が規制されるようになっている。
【００２８】
なお、図３（ｂ）において２１は、前記刃物保持部材２０の内周面に鋼球２２を埋め込むために当該刃物保持部材２０に設けられた径方向の貫通孔である。すなわち、当該刃物保持部材２０においては、前記鋼球２２を固定する方法として、当該刃物保持部材２０の適所に貫通孔２１を穿設してその延長線上における内周面に有底穴を設け、当該有底穴に鋼球２２を軽く嵌め込んだ状態で前記貫通孔２１に押棒を挿通して当該押棒で前記鋼球２２を押圧することにより、当該鋼球２２を前記有底穴内に圧入するという工程が踏まれている。
【００２９】
ただし、本発明では工具側部材と工具保持部材との具体的な嵌合構造は問わない。例えば両部材をスプライン嵌合やキー嵌合させるようにしても、相対回転の規制は可能である。また「工具側部材」は、図示の刃物保持部材２０のように工具本体と別の部材であってもよいし、工具に一体に形成されているものでもよい。
【００３０】
前記円筒状刃物２４は、その外径と略同等の円形貫通穴を壁等に穿設するためのものであり、中央にねじ孔をもつドーナツ板状の底壁２４ａと、この底壁２４ａの外周部から軸方向に延びる円筒状の刃物本体２４ｂとを有しており、刃物本体２４ｂの先端部適所に切欠２４ｃが形成されるとともに、当該切欠２４ｃの縁部に切断刃２４ｄがろう付け等で固定されている。一方、前記刃物保持部材２０の先端部外周面には雄ねじ２０ｂが刻まれており、この雄ねじ２０ｂと前記底壁２４ａのねじ孔とが螺合されることにより、刃物保持部材２０と円筒状刃物２４とが一体化されるようになっている。
【００３１】
なお、本発明では工具の種類も問わず、図示の穴開け工具の他、工具装着部材に着脱可能に装着された状態で駆動される種々の工具について本発明の適用が可能である。
【００３２】
前記装着部材本体１１には、この装着部材本体１１と前記刃物保持部材２０とを嵌合状態で締結するための締結部材３０が設けられている。
【００３３】
この締結部材３０は、ナット部材３１を備えている。このナット部材３１の本体は、筒状をなし、その筒状部分の先端部の内周面に雌ねじ３１ｃが刻まれる一方、前記本体部分の基端（図２では上端）から径方向内側に端壁３１ｆが突出しており、この端壁３１ｆが、前記装着部材本体１１に対して相対回転可能でかつ軸方向の相対移動が規制された状態で装着部材本体１１側に保持されている。具体的には、前記端壁３１ｆと装着部材本体１１の前記鍔部１１ｃとの間に弾性変形可能なＯリング１６が介在した状態で、前記端壁３１ｆを前記鍔部１１ｃと反対の側（図２では上側）から規制する止め輪１５が装着部材本体１１に装着されている。
【００３４】
一方、前記刃物保持部材２０の後端部外周面には雄ねじ２０ｃが刻まれており、当該刃物保持部材２０が前記装着部材本体１１の先端部に浅く外嵌された状態で前記雄ねじ２０ｃと前記ナット部材３１側の雌ねじ３１ｃとの螺合を進行させることにより、装着部材本体１１と刃物保持部材２０との締結が可能となっている。
【００３５】
さらに、この構造では、前記ナット部材３１の締め付け状態の緩みを規制するための手段が設けられている。
【００３６】
まず、前記工具装着部材１１の鍔部１１ｃの外周面には、断面Ｖ字状の山と谷が交互に連続する凹凸が形成されている。換言すれば、多数の断面Ｖ字状凹部１１ｅが周方向に連続して並んでいる。
【００３７】
これに対して前記ナット部材３１の筒状部分には当該筒状部分を径方向に貫通する貫通孔３１ａが設けられ、この貫通孔３１ａ内に鋼球からなる係合球（係合部材）３２及び中間球（中間部材）３３が格納されている。図４に示すように、前記貫通孔３１ａの内側端の内径は前記係合球３２の直径よりも僅かに小さく設定されており、当該内側端から前記係合球３２が抜け出ることが不能となっている。このように、内側端のみ内径が局所的に小さくなっている貫通孔３１ａを形成するには、例えば、ナット部材３１に対してその外周面側からボールエンドミルによって穿孔を行い、当該ボールエンドミルの先端部分がナット部材３１の内周面を完全に突き抜ける手前でその穿孔を止めるようにすればよい。
【００３８】
なお、本発明では必ずしも貫通孔３１ａからの前記係合球３２の抜け止めがなされていなくてもよく、図示のように工具装着部材１０にナット部材３１を組付けた状態で係合球３２等の係合部材が脱落しないように保持された構造となっていればよい。
【００３９】
両球３２，３３は、前記係合球３２が前記貫通孔３１ａの内側端から内方に突出して前記凹部１１ｅに嵌まり込む係合位置と当該係合位置から径方向外側に待避して前記凹部１１ｅの境界部分である凸部を乗り越え可能な待避位置との間で移動可能となるように貫通孔３１ａ内に保持されている。
【００４０】
さらに、前記ナット部材３１の筒状部分の外周面には、前記貫通孔３１ａとつながる周方向の凹溝３１ｂが形成され、この凹溝３１ｂ内に板ばね３４が嵌着されている。この板ばね３４は、図例では、帯状の薄板で構成され、３６０°を超える中心角をもつ円弧状をなしていて、前記凹溝３１ｂの周長よりも大きな周長を有しており、当該板ばね３４自体の弾性変形により限られた範囲で拡径することが可能となっている。すなわち、この板ばね３４は、前記貫通孔３１ａの外側に位置し、かつ、前記筒状部分の外周面（凹溝３１ｂの底面）に沿うようにして当該筒状部分に取付けられている。
【００４１】
この板ばね３４の嵌着により、前記両球３２，３３が径方向外側から拘束され、前記係合球３２が前記係合位置に保持されるとともに、前記板ばね３４の拡径方向の弾性変形に伴って前記係合球３２が前記待避位置へ待避することが可能となっている。つまり、前記板ばね３４の弾発力が前記中間球３３を介して前記係合球３２に伝達され、当該弾発力によって前記係合球３２が前記係合位置側に付勢されるようになっている。
【００４２】
なお、前記板ばね３４は中心角が３６０°未満の円弧状（例えばＣ字状）のものであってもよい。
【００４３】
以上示した工具連結構造によれば、前記係合球３２が板ばね３４による付勢力を受けながらも適宜係合位置から待避位置へ待避することによって凹部１１ｅ同士の間の凸部を乗り越えることができるため、ナット部材３１を装着部材本体１１に対して相対回転させることが可能であり、当該相対回転によってナット部材３１の雌ねじ３１ｃと刃物保持部材２０の雄ねじ２０ｃとの螺合を進行させることにより、図２に示すような締結状態にすることができる。そして、この締結状態で工具装着部材１０、刃物保持部材２０、円筒状刃物２４、及びドリルビット２６を一体に回転させることにより、壁等に円形の貫通穴を穿設することができる。
【００４４】
その施工中は、前記係合球３２がいずれかの凹部１１ｅに嵌まり込んで係合位置に存在するとともに、前記板ばね３４の弾発力によって当該係合位置にある程度の力で保持されているので、その係合保持により、施工時の振動等によりナット部材３１と刃物保持部材２０との締め付けが緩むことが有効に規制される。
【００４５】
しかも、前記板ばね３４は、例えば図９に示すような圧縮コイルばね９５と異なり、装着部材本体１１の外周面を取り巻くように取付けられて前記係合球３２を外側から拘束、付勢するものであるため、特に構造全体を大型化しなくても十分な付勢力を確保することが可能となっている。従って、コンパクトな構造で、前記係合球３２と凹部１１ｅとの係合状態を十分な力で保持して有効な緩み規制効果を確保することができる。
【００４６】
なお、本発明にかかる係合部材及び中間部材は前記係合球３２及び中間球３３のような球状のものに限らず、その具体的な形状については適宜設定可能である。また、貫通孔３１ａの長さによっては、複数の中間部材を係合部材と弾性部材との間に介在させてもよいし、逆に当該中間部材を省略するようにしてもよい。
【００４７】
また、本発明にかかる弾性部材も前記板ばね３４に限らず、例えば線状のものを用いることが可能である。さらに、当該弾性部材の形状の設定によって、前記中間部材を省略したり、さらには当該弾性部材と係合部材とを一体化させることも可能である。
【００４８】
その実施の形態を図５及び図６に示す。ここでは、前記板ばね３４に代えて線材からなる線ばね５０が弾性部材として用いられている。この線ばね５０は、中心角が３６０°に近いＣ型円弧状の周方向部分５２と、この周方向部分５２の片端から径方向内側に突出する径方向部分５４とを一体に有するように曲げ加工されたもので、前記周方向部分５２が前記筒状部分の外周面（凹溝３１ｂの底面）に沿うようにして当該筒状部分に取付けられるとともに、径方向部分５４が貫通孔３１ａ内に径方向外側から挿入されている。そして、この径方向部分５４の端部が係合球３２に外側から当接することにより、当該係合球３２が係合位置に保持されるようになっている。
【００４９】
この工具連結構造においても、前記係合球３２が線ばね５０の径方向部分５４による拘束を受けながらも、当該線ばね５０の周方向部分５２の拡径方向の弾性変形及び径方向部分５４の径方向外側への変位を伴いながら適宜前記係合位置から待避位置へ待避することによって凹部１１ｅ同士の間の凸部を乗り越えることができるため、ナット部材３１を装着部材本体１１に対して相対回転させることが可能であり、当該相対回転によってナット部材３１の雌ねじ３１ｃと刃物保持部材２０の雄ねじ２０ｃとの螺合を進行させることにより締結状態にすることができる。
【００５０】
そして施工中は、前記係合球３２がいずれかの凹部１１ｅに嵌まり込んで係合位置に存在するとともに、前記線ばね５０の弾発力によって当該係合位置に適当な力で保持されているので、その係合保持により、施工時の振動等によりナット部材３１と刃物保持部材２０との締め付けが緩むことが有効に規制される。
【００５１】
このような構造によれば、前記図４等に示した中間球３３を特に導入しなくても、線ばね５０の径方向部分５４を係合球３２に確実に接触させてその拘束（係合位置への拘束）を行うことができる。
【００５２】
さらに、図７及び図８に示すように、前記係合球３２を省略するとともに、前記径方向部分５４を延ばしてその先端が直接凹部１１ｅに嵌まり込むようにすることにより、当該径方向部分５４を係合部材として構成することも可能であり、これによって部品点数の削減及び構造の簡素化を図ることができる。
【００５３】
また、以上の図５〜図８に示す構造では、前記図１〜図４に示した構造と同様に、ドリルビット挿入孔１１ａ内に前記ドリルビット２６の基部が挿入された状態で装着部材本体１１に設けられた径方向のねじ孔１１ｂに止めねじ１４がねじ込まれることにより、前記装着部材本体１１にドリルビット２６が固定されるのに加え、そのねじ孔１１ｂと締結部材３０との間にもドリルビット２６を着脱可能に保持する機構が設けられている。
【００５４】
具体的に、装着部材本体１１の周壁にはこれを径方向に貫通する貫通孔１１ｈが設けられ、この貫通孔１１ｈ内に係合球４０が径方向に変位可能となるように装填されている。より詳しくは、当該係合球４０がドリルビット挿入孔１１ａの内周面から内側に突出してドリルビット２６の基部に形成された周溝２６ａと係合するドリルビット保持位置と、このドリルビット保持位置から径方向外側に待避位置との間で移動可能となっている。
【００５５】
さらに、前記装着部材本体１１には前記貫通孔１１ｈの外側部分を周方向に通過するような浅い周溝１１ｊが形成され、この周溝１１ｊ内に弾性リング４２が嵌め込まれており、この弾性リング４２によって前記係合球４０が前記ドリルビット保持位置側に拘束されるようになっている。
【００５６】
一方、装着部材本体１１の外周面には、前記図１及び図２に示した止め輪１５に加え、当該止め輪１５よりも前記ねじ孔１１ｂに近い位置に止め輪４６が設けられており、両止め輪４６同士の間に操作部材４４が嵌め込まれている。
【００５７】
この操作部材４４は、前記装着部材本体１１の外側にほぼ隙間なく嵌合される略円筒状をなしている。この操作部材４４の内周面には、前記止め輪４６側に開放された周溝４４ａと、この周溝４４ａから前記止め輪１５側に離間した周溝４４ｂとが形成され、前記周溝４４ａ内には前記止め輪４６と当たる状態で圧縮コイルばね４８が装填されている。そして、通常は、前記圧縮コイルばね４８の弾発力により操作部材４４が図５に示すような位置、すなわち、周溝４４ａ，４４ｂに挟まれた部分が弾性リング４２及び係合球４０を径方向外側から拘束する拘束位置に保持される一方、当該拘束位置から図５の矢印に示すように当該操作部材４４を圧縮コイルばね４８の弾発力に抗して止め輪４６側に操作することにより、当該操作部材４４の周溝４４ｂが周溝４２に合致して前記弾性リング４２を解放する解放位置に操作部材４４が切換えられるようになっている。
【００５８】
このような構造によれば、前記操作部材４４を前記解放位置に切換えた状態で、前記係合球４０の変位を伴いながら当該係合球４０がドリルビット２６の周溝２６に係合する位置まで当該ドリルビット２６を挿入し、あるいは当該位置からドリルビット２６を抜き取ることが可能であり、その挿入状態で前記操作部材４４を前記拘束位置に戻して係合球４０を係合位置に拘束することにより、当該操作部材４４が周溝４２に係合してドリルビット２６を係止する状態を保持することができる。
【００５９】
また、このような係合球４０による係合ではドリルビット２６の固定が不十分な場合には、当該係合球４０による係合に加え、あるいは当該係合球４０を省略して、止めねじ１４によりドリルビット２６の固定を行うことができる。
【００６０】
なお、本発明にかかる「弾性部材」は図示のような板ばね３４や線ばね５０に限らず、例えばゴム等の弾性材により環状に形成された弾性部材をナット部材３１の外周部に装着するようにしてもよい。
【００６１】
また、図例では装着部材本体１１側にナット部材３１が取付けられているが、逆に工具側部材にナット部材３１が取付けられ、その雌ねじ３１ｃに螺合する雄ねじが装着部材本体１１側に取付けられた構造としてもよい。
【図面の簡単な説明】
【００６２】
【図１】弾性部材として板ばねが用いられた工具連結構造を示す斜視図である。
【図２】前記工具連結構造を示す一部断面正面図である。
【図３】（ａ）は図２のＡ−Ａ線断面図、（ｂ）は図２のＢ−Ｂ線断面図である。
【図４】前記工具連結構造の要部を示す断面正面図である。
【図５】弾性部材として線ばねが用いられた工具連結構造を示す斜視図である。
【図６】図５のＣ−Ｃ線断面図である。
【図７】前記線ばねの径方向部分を係合部材として兼用した工具連結構造を示す斜視図である。
【図８】図７のＤ−Ｄ線断面図である。
【図９】本発明とは別の工具連結構造の例を示す一部断面正面図である。
【符号の説明】
【００６３】
１０    工具装着部材
１１    装着部材本体
２０    刃物保持部材（工具側部材）
２０ｃ    雄ねじ
２４    円筒状刃物
３０    締結部材
３１    ナット部材
３１ａ    貫通孔
３１ｂ    凹溝
３１ｃ    雌ねじ
３２    係合球（係合部材）
３３    中間球（中間部材）
３４    板ばね（弾性部材）
５０    線ばね（弾性部材）
５２    周方向部分
５４    径方向部分
【図１】
2005007563.tif 000003
【図２】
2005007563.tif 000004
【図３】
2005007563.tif 000005
【図４】
2005007563.tif 000006
【図５】
2005007563.tif 000007
【図６】
2005007563.tif 000008
【図７】
2005007563.tif 000009
【図８】
2005007563.tif 000010
【図９】
2005007563.tif 000011